(57)【要約】【課題】トラクタのキャビン等に、ウォッシャータンクを可動式に構成するにあたり、同タンクの取付装置を極力簡単な構成とし、且つロックまたはロック解除操作も容易なものとして、同タンクの給水または着脱時の取扱性の向上を図る。【解決手段】キャビンの後パネル２７に設置するウォッシャータンク２６において、前記ウォッシャータンク２６の左右一側を上下方向のピン軸２９周りに回動自在に枢着する。該タンク２６にロッド部材３１を設ける一方、キャビン側にこのロッド部材３１を弾性的に挟持してタンク２６をキャビン側に保持するクリップ３３と、同タンク２６の収納回動時にタンク２６の取付金具３０Ｒを上下に案内部３４ａ，３４ｂで受けて前記ロッド部材３１をクリップ３３へ案内し、且つ前記ロッド部材３１の一端部を係合するガイドストッパー３４とを設ける。【選択図】        図３
2006027507.tif 000002
【特許請求の範囲】
【請求項１】
作業車両のキャビン（９）に設置するウォッシャータンク（２６）において、前記ウォッシャータンク（２６）の左右一側を上下方向のピン軸（２９）周りに回動自在に枢着すると共に、該タンク（２６）の左右他側とキャビン側部材（２７）との間には、タンク側若しくはキャビン側に装着されるロッド部材（３１）と、このロッド部材（３１）を弾性的に挟持してタンク（２６）をキャビン側に保持する挟持具（３３）と、同タンク（２６）の収納回動時に前記ロッド部材（３１）を挟持具（３３）へ案内し且つ前記ロッド部材（３１）の一端部を係合して同タンク（２６）の振れを規制するストッパー部材（３４）とを設けたことを特徴とする作業車両のウォッシャータンク取付装置。
【発明の詳細な説明】
【技術分野】
【０００１】
この発明は、農業、建築、運搬用等、キャビンの窓にワイパー装置を有する作業車両のウォッシャータンクの取付装置の構成に関する。
【背景技術】
【０００２】
従来、農業用トラクタ等のウォッシャータンクは、ボルトなどの締付具によってキャビン背面のプレート部材またはフレーム部材に締付固定する構成が知られている。
【特許文献１】特開平9-123878公報
【発明の開示】
【発明が解決しようとする課題】
【０００３】
しかしながら、前記トラクタ等では、車体後部左右にリフトアームを備える為、大きなウォッシャータンクを備える場合には、このリフトアームの可動範囲を避けて車体中央部に備えることが余儀なくされる。しかしながら、前記従来の構成のものでは、同タンクが車体に対し固定する構成であるため、ウォッシャータンクへの給水作業、または生産、メンテナンスでの着脱作業時に、周りの機器、例えば前記トラクタでは、リンク機構や作業機が邪魔になって手が届き難く、窮屈な姿勢を余儀なくされて、取扱性が悪いという課題が想定される。
【０００４】
そこで、この発明は、ウォッシャータンクを車体に対して可動式に構成するにあたり、同タンクの取付装置を極力簡単な構成とし、且つロックまたはロック解除操作も容易なものとして、同タンクの給水または着脱時の取扱性の向上を図ることにある。
【課題を解決するための手段】
【０００５】
この発明は、上記した従来型のもつ課題を解決するために、次のような技術的手段を講じた。
即ち、請求項１の発明では、作業車両のキャビン（９）に設置するウォッシャータンク（２６）において、前記ウォッシャータンク（２６）の左右一側を上下方向のピン軸（２９）周りに回動自在に枢着すると共に、該タンク（２６）の左右他側とキャビン側部材（２７）との間には、タンク側若しくはキャビン側に装着されるロッド部材（３１）と、このロッド部材（３１）を弾性的に挟持してタンク（２６）をキャビン側に保持する挟持具（３３）と、同タンク（２６）の収納回動時に前記ロッド部材（３１）を挟持具（３３）へ案内し且つ前記ロッド部材（３１）の一端部を係合して同タンク（２６）の振れを規制するストッパー部材（３４）とを設けたことを特徴とする作業車両のウォッシャータンク取付装置とした。
（作用）
ウォッシャータンク（２６）に給水する時には、ピン軸（２９）を支点としてタンク（２６）の一端をキャビン（９）に対し離反させる。すると、タンク（２６）の給水口が左右一側に移動することになる。
【０００６】
またタンクロック時には、ストッパー部材（３４）により、ロッド部材（３１）が挟持具（３３）に案内挟持され、同時にロッド部材（３１）の一端部が同ストッパー部材（３４）に係合されてロックされる。
【発明の効果】
【０００７】
これにより、ウォッシャータンク（２６）は、大きな容量を有するタンクを簡単な構成で車体中央部に備えることができつつ、同タンク（２６）に洗浄水を充填するときには、同タンク（２６）の左右一側を上下方向のピン軸（２９）周りに回動して行うことができるので、同タンク（２６）の給水口が左右一側に位置することなり、給水作業が容易となる。
【０００８】
またタンク（２６）に洗浄液を充填した後、タンク（２６）をキャビン側へロックする時も、同タンク（２６）を回動させるだけで自ずとタンク８２６）が固定される。即ち、ワンタッチ操作でタンク（２６）を固定することができるので取扱性が良い。
【０００９】
また更にウォッシャータンク（２６）は、前記挟持具（３３）に加え、ストッパー部材（３４）により固定するので、悪路走行時などでも、不用意に離脱することが無く、確実に固定することができる。
【発明を実施するための最良の形態】
【００１０】
以下、図面に基づいて、この発明を農業用トラクタ１に搭載した形態について説明する。
トラクタ１は、図１に示すように、車体２の前後に左右一対の前輪３，３及び後輪４，４が架設され、車体２上部にキャビン９を搭載して表示パネル５やステアリングハンドル６、操縦席７等を取り囲む構成となっている。また車体前部のボンネット８内にはエンジンＥが内装され、同エンジンＥからの回転動力を前記後輪４または前後輪３，４へ伝達して車両を走行する構成となっている。またトラクタ１の車体後部には、リフトアーム２２を設け、同アーム２２の上下回動によりリンク機構Ｒに接続した作業機を昇降する構成となっている。
【００１１】
前記キャビン９は、フロア１２の前部左右に前フレーム１４、１４を立設し、操縦席７の背もたれ部の左右側方に後フレーム１５，１５を立設すると共に、前記左右それぞれの前後フレーム１４，１５の上端同士を左右ルーフフレーム１６，１６にて接続し、左右の前フレーム１４，１４の上端同士をルーフ前フレーム１７にて接続し、更に左右の後フレーム１５，１５の上端同士をルーフ後フレーム１８にて接続する構成となっている。
【００１２】
また左右両側部にキャビンドア１０を設け、前部のドアロックハンドル１１を把持して前記後フレーム１５に備えたヒンジを支点としてドア前部を左右方向に開閉する構成としている。
【００１３】
また前記左右の前フレーム１４，１４間にフロントガラス１９を設けると共に、後フレーム１５，１５間にはリヤガラス２１を設け、前記フロントガラス１９とリヤガラス２１に夫れ夫れワイパー２３Ｆ，２３Ｒを備える構成となっている。
【００１４】
またキャビン底部には、ステアリングハンドル６下方から操縦席７まで延設されるフロア１２を設け、この左右両側には前記後輪４を前方から上方へかけて覆うフェンダー１３を設けている。
【００１５】
次にこの発明の要部となるキャビン９後面に備えるウォッシャータンク２６について説明する。
前記ウォッシャータンク２６は、黒色のプラスチック容器から構成され、図２乃至図５に示すように、上部に蓋２６ａを着脱自在に設け、給水時にはこれを開けて補給する構成となっている。そして、ウォッシャータンク２６は、図２に示すように、車両の進行方向に向かってタンク左側部に左側取付金具３０Ｌを装着すると共に、この左側取付金具３０Ｌを、キャビン９の後パネル２７に固定した支持枠２８に、同パネル２７に沿って上下方向でやや後傾したピン軸２９を貫通させてピン２０で回動自在に取り付ける構成となっている。
【００１６】
一方、該タンク２６の右端側には、図３に示すように、側面視「コ」の字状に屈曲させ、且つこの上下辺の間に上下方向のロッド部材３１を備えた右側取付金具３０Ｒを装着すると共に、このロッド部材３１をキャビン側の弾性変位可能な挟持具（以下、クリップ３３）に係合保持する構成となっている。
【００１７】
詳しくは、前記キャビン９の後パネル２７側には、側面視、後方へ向って開いた板バネ状の案内部３４ａ，３４ｂを有するガイドストッパー３４が取り付けられ、このガイドストッパー３４の開放部奥部に前記クリップ３３を後方向って開放させて備える構成となっている。また前記ガイドストッパー３４の下辺部には、開口部３１ａを開口し、前記タンク２６を回動してこの一端部をキャビン側へ接近させたときに、前記ロッド部材３１の下端部３１ａを係合する構成となっている。
【００１８】
またウォッシャータンク２６と前記ワイパー２３Ｆ，２３Ｒへ洗浄水を噴射する噴射ノズル２５Ｆ，２５Ｒと接続するチューブ４１のうち少なくとも１本は透明チューブとし、後方よりタンク内の液量が容易に確認できるように配策している。これにより、黒色のタンク２６であっても透明チューブ４１によって液量が容易に確認できる。また、前記チューブ４１の配策にあたり、キャビン側に保持するクランプ４２をタンク２６の回動支点近傍位置に配置する構成とし、タンク２６が回動変位しても同チューブ４１の折れ曲がりを防ぐ構成としている。
【００１９】
以上のように構成したトラクタ１では、ウォッシャータンク２６を車体に取り付ける場合は、まず同タンク２６の左側取付金具３０Ｌを支持枠２８に重ねあわせてピン軸２９を貫通しピン２０にて取り付ける。そして同タンク２６の右側取付金具３０Ｒ、詳しくはロッド部材３１をクリップ３３に挟持させると共に、この下端部を前記ガイドストッパー３４の開口部に係合させる。
【００２０】
そして、ウォッシャータンク２６に洗浄水等を充填する時には、ガイドストッパー３４の下案内部３４ｂを、前記板バネ作用に抗して軽く下方に押し下げて、同ストッパー３４の開口部３４ｈに対するロッド下端部３１ａの係合を解除し、同タンク２６の右側部を後方へ引き出し、即ち前記クリップ３３からロッド部材３１を取り外して前記ピン軸２９周りに左側方へ回動位置させる（図５の二点鎖線の状態）。
【００２１】
これにより、前記蓋２６ａ及びこれに蓋された給水口が車体一側に位置することになり、ウォッシャータンク２６をリフトアーム２２の可動範囲を避けて車体中央部に備えつつも、給水作業が行い易い。
【００２２】
また前記ピン軸２９は、キャビン９の後パネル２７に沿わせて前後方向に傾けた傾斜軸となっているが、前記クリップ３３によりロッド部材３１を挟持する構成としている為、前記ロッド下端部３１ａの係合状態を解除しても、タンク２６の重さにより同タンク２６が不意に前記ピン軸２９周りに回転落下することが無く取扱性が良い。
【００２３】
またウォッシャータンク２６のロック時（収納固定時）には、右側取付金具３０Ｒまたはタンク自体を後方へ込む。
これにより、タンク２６が後方へ移動するに従い、前記右側取付金具３０Ｒの上下部が夫れ夫れガイドストッパー３４の上下案内部３４ａ，３４ｂに案内され、同金具３０Ｒの開放部に進入する。そして、そして、該タンク２６が前記後パネル２７の後面に対し閉じたときには、前記クリップ３３にロッド部材３１が挟持されると同時に、前記ロッド部材３１の下端部３１ａが、ガイドストッパー３４の下案内部３４ｂの奥側に開口された開口部３４ｈに係合する（図５の実線の状態）。
【００２４】
これにより、タンクロック時は、ワンタッチ操作でタンク２６を固定することができる。また更に悪路走行時などでもガイドストッパー３４の開口部４５ｈによってロッド部材３１とクリップ３３間のガタつきが規制され、不用意に離脱することが無く、確実に固定することができる
尚、この発明の別形態としては、ロッド部材３１をキャビン９側に備え、これを挟持するクリップ３３及びガイドストッパ３４をタンク２６側に備える構成としても良い。
【００２５】
次に、前記キャビン９の構成について詳細に説明する。
図６と図７に示すように、ルーフ前フレーム１７及びルーフ後フレーム１８に溶接固定されたルーフ前プレート４６とルーフ後プレート４７には、前後のワークランプ４８Ｆ，４８Ｒ…を取り付けるためのランプ取付ステー４９を上下方向の取付ボルト５０によって締付固定する構成としている。また図７に示すように、前記取付ボルト５０は前ワークランプ４８Ｆの背部で照射方向視からは見えない位置に配置することによって外観性を良くしている。また、ワークランプ４８は、横軸５１と上下方向の取付ボルト５０を回動支点として左右上下に回動可能で、照射方向が任意に調整できる構成としている。
【００２６】
また図８と図９に示すように、前記キャビン９のリヤガラス２１は、上端側を左右横方向のヒンジ５２を支点として開閉ダンパー５３を介して前後方向に揺動開閉する構成であり、閉じたときにはロックハンドル５４によってロックする構成としている。そして、このロックハンドル５４部には、低速車マーク５５を取り付けるためのマーク取付ステー５６を取付支持する構成している。従来、小型トラクタのキャビンでは、形状の大きい低速車マークを取り付けることが困難である。特に、リヤガラス下側のロワーフレームではリヤガラスの開閉ができず、また、ロアーフレーム下方ではナンバープレートと重なったり、或はリフトアーム２２と干渉するなどの不具合がある。そこで、上記本例のようにロックハンドル５４部を利用することによって充分な視界性並びに居住性を確保しながら低速車マークを容易に設置することができる。
【００２７】
また図１０に示すように、前記キャビン９において、左右に平行な前フレーム１４，１４に対し、フロントガラス１９に備える黒色の左右ガラススクリーン６０，６０を上側ほどその横幅（Ｈ１＞Ｈ２）を順次広くする形状としている。これにより、ガラススクリーン６０，６０を左右前フレーム１４，１４と平行に備えた場合と比較して、視覚上、キャビン上部が細く見え、同キャビン９の美観を向上することができる。
【００２８】
また、同様に、左右の前フレーム１４，１４を車体中心線に対して平行に立設する本願のキャビン９において、後フレーム１５の側面視での外観は、図１３（ａ）に示すように、前壁部１５ａが地面に対して垂直で、後壁部１５ｂが前傾姿勢となるよう傾斜し下端幅Ｄ１よりも上端幅Ｄ２を狭く（Ｄ１＞Ｄ２）した構成としている。また、この後フレーム１５の背面視での外観も、図１３（ｂ）に示すように、内壁側（キャビン室内側）１５ｃが地面に対し垂直で、外壁側（キャビン室外側）１５ｄが上端側ほど幅狭（ｄ１＞ｄ２）となるよう傾斜する構成としている。
【００２９】
これにより、キャビン９上部は視覚上細く見え、デザイン上の美観を向上することができる。尚、図１１中の符号６１は、ルームランプ用のドアスイッチを示し、前記後フレーム１５の下端側の広い部分に設置することができる。
【００３０】
また、図１４（ａ）に示すように、後フレーム１５に取り付ける内装カバー６３も、このカバー形状を背面視で上部が小さく（Ｋ１＞Ｋ２）なるように構成している。更に、側面視においても、図１４（ｂ）に示すように、上部が下部より幅狭く（Ｓ１＞Ｓ２）なるように構成している。
【００３１】
これにより、前記同様、視覚上、キャビン上部を細く見せて美観を向上することができる。
【図面の簡単な説明】
【００３２】
【図１】トラクタの全体側面図。
【図２】ウォッシャータンク設置部の左側面図。
【図３】ウォッシャータンク設置部の右側面図。
【図４】ウォッシャータンクの背面図。
【図５】ウォッシャータンクの回動作用を示す平面図。
【図６】キャビンルーフの平面図。
【図７】キャビンルーフの側面図。
【図８】リヤガラスの側面図。
【図９】リヤガラスの背面図。
【図１０】キャビンの正面図。
【図１１】キャビンのフレーム枠を示す側面図。
【図１２】キャビンのフレーム枠を示す背面図。
【図１３】（ａ）後フレームの側面図。（ｂ）後フレームの背面図。
【図１４】（ａ）リヤカバーの背面図。（ｂ）リヤカバーの側面図。
【符号の説明】
【００３３】
１  トラクタ
９  キャビン
２６  ウォッシャータンク
２７  後パネル
２８  支持枠
２９  ピン軸
３０Ｌ  左側取付金具
３０Ｒ  右側取付金具
３１  ロッド部材
３２  キャビン側取付金具
３３  クリップ（挟持具）
３４  ガイドストッパー
【図１】
2006027507.tif 000003
【図２】
2006027507.tif 000004
【図３】
2006027507.tif 000005
【図４】
2006027507.tif 000006
【図５】
2006027507.tif 000007
【図６】
2006027507.tif 000008
【図７】
2006027507.tif 000009
【図８】
2006027507.tif 000010
【図９】
2006027507.tif 000011
【図１０】
2006027507.tif 000012
【図１１】
2006027507.tif 000013
【図１２】
2006027507.tif 000014
【図１３】
2006027507.tif 000015
【図１４】
2006027507.tif 000016